(57)【特許請求の範囲】
【請求項１】
掛合窓を備えた正面板部と一対の側面板部とを備えた雌部材と、
この雌部材の背面側から前記一対の側面板部間にはめ入れられる基部と前記掛合窓にはめ入れられる掛合突部とを備えた雄部材とからなると共に、
この雄部材の基部及び前記雌部材の側面板部のいずれか一方に、前記はめ入れに伴なう弾性変形後の弾発によって、当該雄部材の基部及び前記雌部材の側面板部の他方に設けられた被掛合突条に掛合される掛合突条が形成してあり、
しかも、この被掛合突条及び掛合突条が、雌雄部材の長さ方向に長く続くように形成してあると共に、この被掛合突条及び掛合突条の少なくとも一方が、突き出し端部を丸めさせた形状としてあることを特徴とするバックル。
【請求項２】
被掛合突条及び掛合突条のいずれか一方が、長溝によって形成されていることを特徴とする請求項１に記載のバックル。
【請求項３】
長溝の溝底が、凹球面状をなすように形成してあることを特徴とする請求項２に記載のバックル。
【請求項４】
雌部材の一対の側面板部間に、掛合窓側に近付くに連れて当該雌部材の正面板部の内面との間の間隔を狭める向きに傾斜した雄部材の背面の案内面を備えた案内部が設けられていることを特徴とする請求項１、請求項２又は請求項３に記載のバックル。
【発明の詳細な説明】
【０００１】
【発明の属する技術分野】
この発明は、雌部材と、この雌部材に取り外し可能にはめ付けられる雄部材とからなるバックルの改良に関する。
【０００２】
【従来の技術】
係止体と係合体（雌雄部材）とから構成され、かかる係止体に設けられた嵌合段部（掛合突部）を係合体に形成された小孔（係合窓）にはめ込んで当該係止体と係合体とを連結させるようにした止め具（バックル）が開示されている。（実用新案公報所載の実公昭５１−３２５８３参照）
【０００３】
【発明が解決しようとする課題】
かかる止め具にあっては、前記連結状態において、止め具の長さ方向に沿った向きに作用される、連結させ合わされている前記係止体と係合体とを引き離す向きの力に対して前記小孔への嵌合段部のはまり込みにより抗することができ、こうした力の作用時における前記連結状態の維持力を一応備えている。
【０００４】
しかし、かかる止め具にあっては、前記連結状態における前記小孔からの嵌合段部の予期しない抜け出しの防止を、係合体に設けた隆起突子を係止体における基端縁に押し付けさせることにより確保しているにすぎず、かかる連結状態において前記のような力が作用された場合、この基端縁に対する隆起突子の押し付け状態が低下するため、このような力が作用されている状態から係合体に前記小孔から前記嵌合段部を抜け出させる向きの移動力が併せて作用されてしまうと前記連結状態が比較的簡単に解かれてしまうものであった。
【０００５】
そこで、この発明は、この種の止め具（バックル）において、連結状態において雌雄部材に当該雌雄部材の長さ方向に沿った向きに作用される、当該雌雄部材を離れ出させる向きの力が作用された場合に、一方部材に形成された係合窓にはまり込んだ他方部材の掛合突部が当該掛合窓から抜け出す向きに当該他方部材が移動され難いようにして、かかる連結状態を安定的に確保できるようにすることを主たる目的とする。
【０００６】
【課題を解決するための手段】
前記目的を達成するために、請求項１記載の発明にあっては、バックルが以下の（１）〜（４）の構成を備えたものとした。
（１）掛合窓を備えた正面板部と一対の側面板部とを備えた雌部材と、（２）この雌部材の背面側から前記一対の側面板部間にはめ入れられる基部と前記掛合窓にはめ入れられる掛合突部とを備えた雄部材とからなると共に、（３）この雄部材の基部及び前記雌部材の側面板部のいずれか一方に、前記はめ入れに伴なう弾性変形後の弾発によって、当該雄部材の基部及び前記雌部材の側面板部の他方に設けられた被掛合突条に掛合される掛合突条が形成してあり、（４）しかも、この被掛合突条及び掛合突条が、雌雄部材の長さ方向に長く続くように形成してあると共に、この被掛合突条及び掛合突条の少なくとも一方が、突き出し端部を丸めさせた形状としてある。
【０００７】
かかる構成によれば、前記雌部材の一対の側面板部の間に、当該雌部材の背面側から前記雄部材の掛合突部及び基部を当該掛合突部が前記掛合窓に入り込み可能となる位置に向けて入れ込み操作することにより、
（１）前記雄部材の基部及び前記雌部材の側面板部のいずれか一方に形成された掛合突条をこれらの他方に形成させた被掛合突条に突き当てて当該雌部材の側面板部側若しくは雄部材の基部側又はこれらの双方を一旦弾性変形させ、
（２）かかる弾性変形によって、前記掛合突部が前記掛合窓に入り込み可能となる位置まで雌部材内に雄部材の掛合突部及び基部を進入させることができると共に、
（３）前記掛合突部が前記掛合窓に入り込み可能となる位置まで前記雄部材の掛合突部及び基部を進入させた状態から、前記掛合突条が被掛合突条を乗り越えるように、当該雄部材を背面側から押し込むことにより、
（４）前記掛合窓に前記掛合突部を雌部材の背面側から入り込ませて当該掛合窓と掛合突部とを掛合させて、かかる雌雄部材をその長さ方向において離れ出す向きに分離しないように掛合させ合わせることができると共に、
（５）前記弾性変形後の弾発によって前記被掛合突条に掛合突条を掛合させて、前記掛合窓から掛合突部を抜け出させる向きに雄部材を構成する基部が移動しないようにすることができ、かかる雌雄部材の掛合状態を確保させることができる。
【０００８】
特に、前記被掛合突条及び掛合突条は、雌雄部材の長さ方向に長く続くように形成されていることから、前記雌部材内から前記雄部材の基部を抜け出させる向きの力が加わった場合に当該雄部材はこの向きに移動され難く、また、かかる被掛合突条と掛合突条との掛合面積を広く確保させることができ、前記雌雄部材の掛合状態は安定的に確保される。
【００１０】
また、かかる構成によれば、前記被掛合突条への掛合突条の掛合操作時に当該被掛合突条を掛合突条が乗り越えやすく、また、当該被掛合突条と掛合突条との掛合解除操作時に当該被掛合突条を掛合突条が乗り越えやすくすることができ、雌雄部材の掛合操作及び掛合解除操作を円滑に行うことができる。
【００１１】
また、請求項２記載の発明にあっては、請求項１に記載のバックルにおける被掛合突条及び掛合突条のいずれか一方が、長溝によって形成されていることを特徴としている。
【００１２】
かかる構成によれば、前記雄部材の基部又は雌部材の側面板部に長溝を形成させることにより、かかる被掛合突条および掛合突条をこれら両部材に適切に形成させることができる。
【００１３】
また、請求項３記載の発明にあっては、請求項２に記載のバックルにおける長溝の溝底が、凹球面状をなすように形成してあることを特徴としている。
【００１４】
かかる構成によれば、前記長溝によって構成される被掛合突部の長溝の内側に向けられた側面がアール面となることから、このアール面によって、前記被掛合突条と掛合突条との掛合解除操作時に当該被掛合突条を掛合突条が乗り越えやすくなり、前記雌雄部材の掛合解除操作を円滑に行うことができる。
【００１５】
また、請求項４記載の発明にあっては、請求項１、請求項２又は請求項３に記載のバックルにおける雌部材の一対の側面板部間に、掛合窓側に近付くに連れて当該雌部材の正面板部の内面との間の間隔を狭める向きに傾斜した雄部材の背面の案内面を備えた案内部が設けられていることを特徴としている。
【００１６】
かかる構成によれば、前記雌部材に対し当該雌部材の背面側から入れ込まれる雄部材の掛合突部に対し、当該雄部材のおおむね背面側に前記案内部の案内面を突き当てさせることにより、当該掛合突部が徐々に前記掛合窓に入り込む位置に近付いていくように斜め向きに雄部材をスライド移動させることができ、かかる掛合窓に掛合突部が入り込む位置まで雄部材が斜めに移動された後に当該案内部の最上部を支点とした雄部材の基部側を雌部材の正面側に近づける向きの押し込み操作によってスムースに前記被掛合突条に掛合突条を前記弾性変形後の弾発によって掛合させることができる。
【００１７】
【発明の実施の形態】
以下、図１ないし図１５に基づいて、この発明の典型的な実施の形態について説明する。
【００１８】
なお、ここで図１ないし図３は、実施の形態にかかるバックルを構成する雄部材２と雌部材１とを分離させた状態でそれぞれ示しており、また、図４および図５は、かかる雌部材１のはめ込み部１３に対し雄部材２の掛合突部２１および基部２０を入れ込み始めた状態を、また、図６ないし図９は、かかる雄部材２と雌部材１との掛合状態をそれぞれ示している。また、図１０ないし図１２は、かかる雌部材１を、また、図１３ないし図１５は、かかる雄部材２を、それぞれ示している。
【００１９】
この実施の形態にかかるバックルは、雌部材１と、この雌部材１に取り外し可能にはめ付けられる雄部材２とからなり、典型的には、雌部材１に取り付けられたバンドなどの帯状体ｗと雄部材２に取り付けられたバンドなどの帯状体ｗとを当該はめ付けに伴って連結させ合わせる用途などに用いるのに適したものである。
【００２０】
かかる雌部材１は、掛合窓１０ａを備えた正面板部１０と一対の側面板部１１、１１とを備えている。また、かかる雄部材２は、かかる雌部材１の背面側ｂから前記一対の側面板部１１、１１間にはめ入れられる基部２０と前記掛合窓１０ａにはめ入れられる掛合突部２１とを備えている。
【００２１】
具体的には、かかる雌部材１は、前記一対の側面板部１１、１１間に亘って設けられた仕切板部１２を有しており、この仕切板部１２によって仕切られた一方側を前記雄部材２のはめ込み部１３としていると共に、この仕切板部１２によって仕切られた他方側を前記帯状体ｗの取付部１４としている。
【００２２】
前記正面板部１０は、かかるはめ込み部１３を構成する前記一対の側面板部１１、１１における雌部材１の正面側ｆに向けられた縁部に当該正面板部１０の縁部を一体に連接させて、当該一対の側面板部１１、１１間の空間を当該雌部材１の正面側ｆから塞ぐように設けられている。
【００２３】
また、前記掛合窓１０ａは、この実施の形態にあっては、前記雌部材１の長さ方向ｒのほぼ中程の位置に形成されていると共に、当該雌部材１の幅方向に沿って長い矩形状をなすように前記正面板部１０に透設された穴によって形成されている。
【００２４】
また、この実施の形態にあっては、前記仕切板部１２によって仕切られた他方側にある前記一対の側面板部１１、１１の間に、間隔を開けて二本の桿状体１５、１５が架設されており、前記仕切板部１２とかかる二本の桿状体１５、１５とによって形成される二カ所のスリット１６、１６を利用して雌部材１の末端に位置される桿状体１５と当該仕切板部１２との間に位置される桿状体１５に帯状体ｗを掛け回すことによって、かかる仕切板部１２によって仕切られた他方側、つまり、前記取付部１４に対し当該帯状体ｗの取り付けをなすことができるようにしてある。（図８）
【００２５】
一方、前記雄部材２は、前記雌部材１のはめ込み部１３を構成する一対の側面板部１１、１１間にはめ入れ可能な幅を備えた基部２０の一方側に前記帯状体ｗの取付部１４を備えていると共に、この基部２０の他方側に前記掛合突部２１を有している。
【００２６】
この実施の形態にあっては、かかる基部２０は、正面板部２０ａと、一対の側面板部２０ｂ、２０ｂとから構成されており、かかる側面板部２０ｂはそれぞれ、当該正面板部２０ａにおける当該雄部材２の長さ方向ｒに沿った縁部に沿って当該縁部から当該雄部材２の背面側ｂに向けて一体に突き出すように設けられている。そして、この一対の側面板部２０ｂ、２０ｂ間の間隔が前記雌部材１のはめ込み部１３を構成する一対の側面板部１１、１１間にはめ込まれる間隔となるようにしてある。
【００２７】
また、この実施の形態にあっては、前記掛合突部２１は、かかる基部２０を構成する正面板部２０ａにおける取付部２２との接合側と反対の側にある雄部材２の幅方向に沿った縁部に一つの辺部を一体に接合させたプレート体２１ａによって構成されている。かかるプレート体２１ａは、雄部材２の正面側ｆに向けられた面を前記基部２０を構成する正面板部２０ａの外面よりも当該雄部材２の背面側ｂから離れ出すレベル、つまり、当該正面板部２０ａの外面よりも上方に位置させており、これにより、当該正面板部２０ａの外面と当該プレート体２１ａの面との間に前記取付部２２側を向いた段差状の掛合面２１ｂが形成されている。また、この実施の形態にあっては、かかるプレート体２１ａは、正面視において、前記雌部材１の掛合窓１０ａの窓縁形状にほぼ倣った矩形状をなすように構成されており、後述する雄部材２の雌部材１へのはめ入れ操作に伴って当該掛合窓１０ａをほぼ塞ぐように当該掛合窓１０ａに雌部材１の背面側ｂから入り込み、前記掛合面２１ｂを当該掛合窓１０ａにおける雌部材１の仕切板部１２に向き合った窓縁に掛合させるようにしてある。（図８）
【００２８】
また、この実施の形態にあっては、前記雄部材２の背面側ｂであって前記基部２０を構成する一対の側面板部２０ｂ、２０ｂの間に、雄部材２の長さ方向ｒに沿って当該基部２０を構成する正面板部２０ａにおける前記取付部２２との連接部から前記プレート体２１ａの掛合面２１ｂと反対の側の先端縁に亘って真っ直ぐに延びるガイドリブ２３が形成してあり、後述する雌部材１の案内部１７に形成されたガイドスリット１７ｃに当該ガイドリブ２３を入れ込ませた状態で当該雌部材１に対する雄部材２のはめ付けがなされるようにしてある。
【００２９】
また、この実施の形態にあっては、前記雄部材２の取付部２２は前記基部２０の外側に張り出す一対の側部２２ａ、２２ａ間に一本の桿状体２２ｂを架設させて構成されている。そして、この桿状体２２ｂと前記基部２０における前記プレート体２１ａとの接合側と反対の側にある当該基部２０の端部との間に形成されるスリット２２ｃを利用して当該桿状体２２ｂに帯状体ｗを掛け回すことによって、かかる取付部２２に対し当該帯状体ｗの取り付けをなすことができるようにしてある。
【００３０】
また、この実施の形態にあっては、前記のように構成される雄部材２の基部２０及び前記雌部材１の側面板部１１のいずれか一方に、前記はめ入れに伴なう弾性変形後の弾発によって、当該雄部材２の基部２０及び前記雌部材１の側面板部１１の他方に設けられた被掛合突条１１ａに掛合される掛合突条２０ｃが形成してあると共に、この被掛合突条１１ａ及び掛合突条２０ｃが、雌雄部材２の長さ方向ｒに長く続くように形成してある。
【００３１】
この実施の形態にあっては、前記雄部材２の基部２０を構成する一対の側面板部２０ｂ、２０ｂの外側にそれぞれ、当該雄部材２の長さ方向ｒに沿って長く続く掛合突条２０ｃが設けてある。
【００３２】
また、前記雌部材１のはめ込み部１３を構成する一対の側面板部１１、１１の内側であって、当該側面板部１１における前記正面板部１０との接合側と反対の当該雌部材１の長さ方向ｒに沿った縁部にそれぞれ、当該縁部に沿って被掛合突条１１ａが設けてある。
【００３３】
具体的には、この実施の形態にあっては、前記雌部材１の側面板部１１の内側に、前記雄部材２の掛合突条２０ｃが納まる幅を備え、かつ、一方の溝端を当該側面板部における前記仕切板部１２との接合側と反対の端部において外方に開放させた当該雌部材１の長さ方向ｒに沿った長溝１８を形成させることにより、当該側面板部１１における前記正面板部１０との接合側と反対の当該雌部材１の長さ方向ｒに沿った縁部に、当該縁部に沿った前記被掛合突条１１ａを形成させている。
【００３４】
そして、この実施の形態にあっては、前記雄部材２の基部２０を構成する一対の側面板部２０ｂ、２０ｂに形成された掛合突条２０ｃの先端間の寸法ｘが、前記雌部材１のはめ込み部１３を構成する一対の側面板部１１、１１に設けられた前記被掛合突条１１ａの先端間の間隔ｙよりもやや大きくなるようにしてあると共に、かかる雌部材１の一対の側面板部１１、１１側が当該被掛合突条１１ａの先端間の間隔ｙを広げ出させる向きの弾性変形を生じさせることが可能なように当該雌部材１が構成されている。（図１１、図１５）
【００３５】
かかる弾性変形特性の付与は、典型的には、前記雌部材１を射出成形などのプラスチック成形により形成させることにより確保することができる。
【００３６】
この結果、この実施の形態にあっては、前記雌部材１のはめ込み部１３を構成する一対の側面板部１１、１１の間に、当該雌部材１の背面側ｂから前記雄部材２の掛合突部２１及び基部２０を当該掛合突部２１が前記掛合窓１０ａに入り込み可能となる位置に向けて入れ込み操作することにより、
（１）前記雄部材２の基部２０に形成された掛合突条２０ｃを雌部材１の側面板部１１に形成させた被掛合突条１１ａに突き当てて当該雌部材１の側面板部１１側を外向きに一旦弾性的に広げ出させ、
（２）このように雌部材１の側面板部１１を広げ出させることによって、前記掛合突部２１が前記掛合窓１０ａに入り込み可能となる位置に向けて雌部材１のはめ込み部１３に雄部材２の掛合突部２１及び基部２０を進入させることができると共に、（図５）
（３）前記掛合突部２１が前記掛合窓１０ａに入り込み可能となる位置まで前記雄部材２の掛合突部２１及び基部２０を前記はめ込み部１３に進入させた状態から、雄部材２の基部２０に設けられた掛合突条２０ｃが雌部材１の被掛合突条１１ａを乗り越えるように、当該雄部材２の基部２０を構成する前記正面板部２０ａの外面と雌部材１のはめ込み部１３を構成する正面板部１０の内面とを近接させる向きに当該雄部材２を背面側ｂから押し込むことにより、
（４）前記掛合窓１０ａに前記掛合突部２１を雌部材１の背面側ｂから入り込ませて当該掛合窓１０ａと掛合突部２１とを掛合させて、かかる雌雄部材１、２をその長さ方向ｒにおいて離れ出す向きに分離しないように掛合させ合わせることができると共に、
（５）一旦弾性的に外向きに広がり出された前記雌部材１のはめ込み部１３を構成する側面板部１１の弾発（弾性復帰）によって前記被掛合突条１１ａに掛合突条２０ｃを掛合させて、前記掛合窓１０ａから掛合突部２１を抜け出させる向きに雄部材２を構成する基部２０が移動しないようにすることができ、かかる雌雄部材１、２の掛合状態を確保させることができる。（図８）
【００３７】
特に、前記被掛合突条１１ａ及び掛合突条２０ｃは、雌雄部材１、２の長さ方向ｒに長く続くように形成されていることから、前記雌部材１のはめ込み部１３内から前記雄部材２の基部２０を抜け出させる向きの力が加わった場合に当該雄部材２はこの向きに移動され難く、また、かかる被掛合突条１１ａと掛合突条２０ｃとの掛合面積を広く確保させることができ、前記雌雄部材１、２の掛合状態は安定的に確保される。
【００３８】
また、かかる雌雄部材１、２の掛合状態から、前記雄部材２の基部２０を構成する前記正面板部２０ａの外面と雌部材１のはめ込み部１３を構成する正面板部１０の内面とを離れ出させる向きに当該雄部材２を引き出し操作することにより、
（１）前記雌部材１の側面板部２０ｂ側を外向きに再び弾性的に広げ出させて、前記雄部材２の基部２０に設けられた掛合突条２０ｃに雌部材１の被掛合突条１１ａを乗り越えさせることができると共に、
（２）かかる操作によって前記掛合窓１０ａから前記掛合突部２１を抜き出させることができ、
（３）これにより、雌部材１のはめ込み部１３から雄部材２の掛合突部２１および基部２０を抜き出させて、ワンタッチで雌雄部材１、２の掛合状態を解くことができる。
【００３９】
なお、この実施の形態にあっては、前記雌部材１の正面板部１０における前記仕切板部１２との連接側と反対の縁部側であって、その縁部のほぼ中程位置に雌部材１の正面側ｆに向けて窪み、かつ、当該縁部において外方に連通した窪み部１９が形成されており、この窪み部１９を利用してこの窪み部１９直下にある雄部材２の端部に指などをかけて当該端部を押圧しての前記引き出し操作を行いやすいようにしてある。
【００４０】
また、この実施の形態にあっては、前記掛合突条２０ｃが、その突き出し端部２０ｄを丸めさせた形状を持つように構成してある。すなわち、かかる掛合突条２０ｃがその長さ方向ｒに直交する向きの断面において弧状の外郭形状を持つように構成してある。
【００４１】
これにより、この実施の形態にあっては、前記被掛合突条１１ａへの掛合突条２０ｃの掛合操作時に当該被掛合突条１１ａを掛合突条２０ｃが乗り越えやすく、また、当該被掛合突条１１ａと掛合突条２０ｃとの掛合解除操作時に当該被掛合突条１１ａを掛合突条２０ｃが乗り越えやすくすることができ、雌雄部材１、２の掛合操作及び掛合解除操作を円滑に行うことができる。
【００４２】
なお、被掛合突条１１ａがその突き出し端部を丸めさせた形状を持つように構成しておいても良く、また、掛合突条２０ｃ及び被掛合突条１１ａの双方がその突き出し端部を丸めさせた形状を持つように構成しておいても良く、いずれの場合にも、前記被掛合突条１１ａへの掛合突条２０ｃの掛合操作時に当該被掛合突条１１ａを掛合突条２０ｃが乗り越えやすく、また、当該被掛合突条１１ａと掛合突条２０ｃとの掛合解除操作時に当該被掛合突条１１ａを掛合突条２０ｃが乗り越えやすくすることができる。
【００４３】
また、前記長溝１８の溝底を凹球面状をなすように形成しておくこともある。
このようにした場合、かかる長溝１８によって構成される被掛合突条１１ａの長溝１８の内側に向けられた側面がアール面となることから、このアール面によって、前記被掛合突条１１ａと掛合突条２０ｃとの掛合解除操作時に当該被掛合突条１１ａを掛合突条２０ｃが乗り越えやすくなり、前記雌雄部材１、２の掛合解除操作を円滑に行うことができる。
【００４４】
また、この実施の形態にあっては、前記雌部材１の一対の側面板部１１、１１間に、掛合窓１０ａ側に近付くに連れて当該雌部材１の正面板部１０の内面との間の間隔を狭める向きに傾斜した雄部材２の背面の案内面１７ａを備えた案内部１７が設けられている。
【００４５】
具体的には、この実施の形態にあっては、かかる案内部１７は、前記雌部材１のはめ込み部１３側に向けられた仕切板部１２の面より当該雌部材１における取付部１４の設けられた側と反対の側に向けて突き出すように形成されている。
【００４６】
かかる案内部１７の雌部材１の背面側ｂに向けられた面は、前記側面板部１１における当該背面側ｂに向けられた縁部面とほぼ同面をなすように形成されている。また、かかる案内部１７の雌部材１の正面側ｆ、すなわち、前記正面板部１０の内面に向けられた面は、当該案内部１７の突き出し端から前記掛合窓１０ａ側に近付くに連れて当該雌部材１の正面板部１０の内面との間の間隔を狭める向きに傾斜しており、この面が前記案内面１７ａとなるようにしてある。また、かかる案内部１７は、前記案内面１７ａの最上部に続く平坦面１７ｂを前記掛合窓１０ａにおける前記仕切板部１２側に向けられた窓縁側に有しており、当該掛合窓１０ａに掛合突部２１がはめ込まれた状態において、この平坦面１７ｂの上方に当該掛合突部２１を構成する前記プレート体２１ａの先端部が位置されるようにしてある。（図８）
【００４７】
また、この実施の形態にあっては、かかる案内部１７は、当該案内部１７の突き出し端からその基部２０に亘るガイドスリット１７ｃにより左右に区分されており、このガイドスリット１７ｃに前記雄部材２の背面側ｂに形成されたガイドリブ２３を入れ込ませた状態で当該雌部材１のはめ込み部１３に対する雄部材２のはめ付け操作がなされるようにしてある。
【００４８】
これにより、この実施の形態にあっては、前記雌部材１のはめ込み部１３に対し当該雌部材１の背面側ｂから入れ込まれる雄部材２の掛合突部２１に対し、当該掛合突部２１のおおむね背面側ｂに前記案内部１７の案内面１７ａを突き当てさせることにより、当該掛合突部２１が徐々に前記掛合窓１０ａに入り込む位置に近付いていくように斜め向きに雄部材２をスライド移動させることができ、（図５）かかる掛合窓１０ａに掛合突部２１が入り込む位置まで雄部材２が斜めに移動された後に当該案内部１７の最上部を支点とした雄部材２の基部２０側を雌部材１の正面側ｆに近づける向きの押し込み操作によってスムースに前記被掛合突条１１ａに掛合突条２０ｃを前記弾性変形後の弾発によって掛合させることができる。
【００４９】
なお、この実施の形態にあっては、このように前記案内部１７によって斜め向きにスライド移動される雄部材２の当該基部２０に設けられた掛合突条２０ｃは、前記被掛合突条１１ａに対し前記掛合突部２１側に向けられた端部側から突き当てられることから、かかる掛合突条２０ｃの端部が当該被掛合突条１１ａを乗り越えやすいように当該端部には面取り部２０ｅが形成されている。
【００５０】
【発明の効果】
この発明にかかるバックルにあっては、連結状態において雌雄部材に当該雌雄部材の長さ方向に沿った向きに作用される、当該雌雄部材を離れ出させる向きの力が作用された場合に、雌部材に形成された係合窓にはまり込んだ雄部材の掛合突部が当該掛合窓より抜け出す向きに当該雄部材２が移動され難いようにすることができ、かかる連結状態を安定的に確保することができる。
【図面の簡単な説明】
【図１】雄部材２と雌部材１の分離正面図
【図２】同背面図
【図３】同断面図
【図４】雌部材１のはめ込み部１３に雄部材２の掛合突部２１及び基部２０を入れ込み始めた状態を示す背面図
【図５】同断面図
【図６】雄部材２と雌部材１の掛合状態を示す正面図
【図７】同背面図
【図８】同断面図
【図９】図８の断面方向と直交する向きで掛合状態にある雄部材２と雌部材１とを断面にした断面図
【図１０】雌部材１の側面図
【図１１】図１０の左側から雌部材１を見て示した側面図
【図１２】図１０の右側から雌部材１を見て示した側面図
【図１３】雄部材２の側面図
【図１４】図１３の左側から雄部材２を見て示した側面図
【図１５】図１３の右側から雄部材２を見て示した側面図
【符号の説明】
１  雌部材
１０  正面板部
１０ａ  掛合窓
１１  側面板部
１１ａ  被掛合突条
２  雄部材
２０  基部
２０ｃ  掛合突条
２１  掛合突部
ｒ  長さ方向
【図１】
0004520655.tif 000002
【図２】
0004520655.tif 000003
【図３】
0004520655.tif 000004
【図４】
0004520655.tif 000005
【図５】
0004520655.tif 000006
【図６】
0004520655.tif 000007
【図７】
0004520655.tif 000008
【図８】
0004520655.tif 000009
【図９】
0004520655.tif 000010
【図１０】
0004520655.tif 000011
【図１１】
0004520655.tif 000012
【図１２】
0004520655.tif 000013
【図１３】
0004520655.tif 000014
【図１４】
0004520655.tif 000015
【図１５】
0004520655.tif 000016